(57)【要約】【課題】ビニールハウスを覆うシート材を突き破ることなく、ビニールハウスの外側に被支持部材を容易に支持することが可能な支持装置の提供。【解決手段】シート材留め条材３の溝部３Ｂの底面３Ｃに対して直交方向Ｘかつ溝部３Ｂの長さ方向Ｙに延びる平板状の第１部分１１であり、被支持部材を支持する支持部として機能する第１部分１１と、第１部分１１の一端に連続し、溝部３Ｂの幅方向Ｚに延びて溝部３Ｂ内に係止される第２部分１２とを有する第１部材１０Ａおよび第２部材１０Ｂであり、溝部３Ｂ内に互いに第２部分１２を外側にして第１部分１１を向かい合わせに配置することにより溝部３Ｂ内に係止される第１部材１０Ａおよび第２部材１０Ｂを有する。【選択図】図１
2017216948.tif 000002
【特許請求の範囲】
【請求項１】
開口部が幅狭に形成された溝部を有し、この溝部内にシート材の一部が挿入されて係止されるシート材留め条材が複数の骨材間に架設されて形成されたビニールハウスに用いられる支持装置であって、
前記溝部の底面に対して直交方向かつ前記溝部の長さ方向に延びる平板状の第１部分であり、被支持部材を支持する支持部として機能する第１部分と、前記第１部分の一端に連続し、前記溝部の幅方向に延びて前記溝部内に係止される第２部分とを有する第１部材および第２部材であり、前記溝部内に互いに前記第２部分を外側にして前記第１部分を向かい合わせに配置することにより溝部内に係止される第１部材および第２部材を有する支持装置。
【請求項２】
前記第１部分と前記第２部分とが連続する部分であって前記第１部材と前記第２部材とが向かい合わせになる側の面が曲面である請求項１記載の支持装置。
【請求項３】
前記第２部分の先端部の前記溝部の内面に対向する側の面が曲面である請求項１または２に記載の支持装置。
【請求項４】
前記支持部は、前記第１部分に形成された開孔である請求項１から３のいずれか１項に記載の支持装置。
【請求項５】
前記支持部は、前記第１部分の一端に連続し、前記溝部の底面に対して直交方向かつ前記溝部の幅方向に延びる平板状の第３部分である請求項１から３のいずれか１項に記載の支持装置。
【請求項６】
前記支持部は、前記第３部分に形成された開孔である請求項５記載の支持装置。
【請求項７】
前記第１部材と前記第２部材とが同一部材である請求項１から６のいずれか１項に記載の支持装置。
【発明の詳細な説明】
【技術分野】
【０００１】
本発明は、ビニールハウスの外側に被支持部材を支持する支持装置に関する。
【背景技術】
【０００２】
一般にビニールハウスは、複数のパイプ状骨材間に樹脂フィルムからなるシート材を張設して形成されている。従来、このシート材を適宜箇所で止着するために、骨材間にシート材留め条材を架設して、このシート材留め条材に形成された溝部内にシート材の一部を挿入し、この溝部内においてシート材の上から例えば波形のスプリング材を配設することにより、シート材をシート材留め条材に係止している（例えば、特許文献１参照。）。
【０００３】
また、ビニールハウスでは、農作物その他、生育させる植物に応じてハウス内の温度や湿度を適切に調整するため、ビニールハウスの適宜部分に換気用開口部を設け、この換気用開口部をシート材により開閉自在に被覆することが行われる。
【先行技術文献】
【特許文献】
【０００４】
【特許文献１】特開２００５−１２４５２６号公報
【発明の概要】
【発明が解決しようとする課題】
【０００５】
ところで、上記のように換気用開口部を設けてシート材により開閉自在に被覆するようにした場合、シート材が風などによって浮き上がってしまわないように、シート材をビニールハウスの外側から押さえ部材により押さえる必要があるが、ビニールハウスは外側全体がシート材によって覆われているため、このシート材を突き破って内側の骨材に支持しない限り、押さえ部材をビニールハウスに支持することができない。
【０００６】
そこで、本発明においては、ビニールハウスを覆うシート材を突き破ることなく、ビニールハウスの外側に被支持部材を容易に支持することが可能な支持装置を提供することを目的とする。
【課題を解決するための手段】
【０００７】
本発明の支持装置は、開口部が幅狭に形成された溝部を有し、この溝部内にシート材の一部が挿入されて係止されるシート材留め条材が複数の骨材間に架設されて形成されたビニールハウスに用いられる支持装置であって、溝部の底面に対して直交方向かつ溝部の長さ方向に延びる平板状の第１部分であり、被支持部材を支持する支持部として機能する第１部分と、第１部分の一端に連続し、溝部の幅方向に延びて溝部内に係止される第２部分とを有する第１部材および第２部材であり、溝部内に互いに第２部分を外側にして第１部分を向かい合わせに配置することにより溝部内に係止される第１部材および第２部材を有するものである。
【０００８】
本発明の支持装置によれば、ビニールハウスを形成する複数の骨材間に架設され、シート材の一部が挿入されて係止されるシート材留め条材の溝部内に、第１部材および第２部材を互いに第２部分を外側にして第１部分を向かい合わせに配置すると、第１部材および第２部材が溝部内に係止され、溝部の底面に対して直交方向かつ溝部の長さ方向に延びる平板状の第１部分が被支持部材を支持する支持部として機能する。
【０００９】
本発明の支持装置は、第１部分と第２部分とが連続する部分であって第１部材と第２部材とが向かい合わせになる側の面が曲面であることが望ましい。これにより、第１部材および第２部材を互いに第２部分を外側にして第１部分を向かい合わせに配置する際に、曲面に沿って第１部材と第２部材とを接触させることにより、シート材留め条材の溝部内に滑らかに装着することが可能となる。
【００１０】
また、本発明の支持装置は、第２部分の先端部の溝部の内面に対向する側の面が曲面であることが望ましい。これにより、シート材留め条材の溝部内に一部が挿入されて係止されているシート材との接触面、すなわち第２部分の先端部の溝部の内面に対向する側の面が曲面であるため、シート材を傷付けてしまうことを防止することができる。
【発明の効果】
【００１１】
（１）本発明の支持部材は、ビニールハウスを形成する複数の骨材間に架設され、シート材の一部が挿入されて係止されるシート材留め条材の溝部に装着されることで、ビニールハウスを覆うシート材を突き破ることなく、ビニールハウスの外側に被支持部材を容易に支持することが可能となる。
【００１２】
（２）第１部分と第２部分とが連続する部分であって第１部材と第２部材とが向かい合わせになる側の面が曲面であることにより、本発明の支持部材をシート材留め条材の溝部内に滑らかに装着することが可能となり、組立が容易となる。
【００１３】
（３）第２部分の先端部の溝部の内面に対向する側の面が曲面であることにより、ビニールハウスを形成するシート材を傷付けてしまうことを防止することができる。
【図面の簡単な説明】
【００１４】
【図１】本発明の実施の形態における支持装置の使用状態を示す斜視図である。
【図２】図１の第１部材の正面図である。
【図３】図２の第１部材の底面図である。
【図４】図２の第１部材の左側面図である。
【図５】図１の支持装置の装着手順を示す説明図である。
【図６】図１の支持装置の使用例を示す説明図である。
【図７】図１の支持装置を装着したビニールハウスの正面図である。
【図８】本発明の支持装置の別の実施形態を示す斜視図である。
【図９】図８の第２部材の正面図である。
【図１０】図９の第２部材の平面図である。
【図１１】図９の第２部材の左側面図である。
【図１２】連棟型ビニールハウスの隣接するビニールハウスの谷部の拡大正面図である。
【発明を実施するための形態】
【００１５】
図１は本発明の実施の形態における支持装置の使用状態を示す斜視図、図２は図１の第１部材の正面図、図３は底面図、図４は左側面図、図５は図１の支持装置の装着手順を示す説明図、図６は図１の支持装置の使用例を示す説明図、図７は図１の支持装置を装着したビニールハウスの正面図である。
【００１６】
図１および図７に示すように、本発明の実施の形態における支持装置１は、複数の骨材２間に架設されたシート材留め条材３にシート材４が係止されることにより形成されたビニールハウス５に装着されて使用されるものである。シート材留め条材３は、図１に示すように、開口部３Ａが幅狭に形成された溝部３Ｂを有する。シート材４は、図５に示すように、その一部がこの溝部３Ｂ内に挿入されて係止部材６により係止されている。
【００１７】
支持装置１は、図１に示すように、第１部材１０Ａおよび第２部材１０Ｂから構成される。なお、本実施形態においては、第１部材１０Ａと第２部材１０Ｂとは同一部材である。そこで、以下、第１部材１０Ａについてのみ詳細に説明し、第２部材１０Ｂについては詳細な説明を省略するが、第２部材１０Ｂの各部についても第１部材１０Ａの各部と同一符号により表されるものとする。
【００１８】
第１部材１０Ａは、シート材留め条材３の溝部３Ｂの底面３Ｃに対して直交方向Ｘかつ溝部３Ｂの長さ方向Ｙに延びる平板状の第１部分１１と、第１部分１０の一端に連続し、溝部３Ｂの幅方向Ｚに延びて溝部３Ｂ内に係止される第２部分１２とを有する。第１部材１０Ａおよび第２部材１０Ｂは、シート材留め条材３の溝部３Ｂ内に互いに第２部分１２を外側にして第１部分１１を向かい合わせに配置することにより溝部３Ｂ内に係止される。
【００１９】
第１部分１１は被支持部材７，８（図６参照。）を支持する支持部として機能する。第１部分１１には、支持部を構成する開孔１４Ａが形成されている。また、第１部分１１には、同じく支持部を構成する第３部分１３が形成されている。第３部分１３は、第１部分１１の一端に連続し、溝部３Ｂの底面３Ｃに対して直交方向Ｘかつ溝部３Ｂの幅方向Ｚに延びる平板状である。第３部分１３には、同じく支持部を構成する開孔１４Ｂが形成されている。
【００２０】
第２部分１２の先端部１２Ａは、シート材留め条材３の溝部３Ｂの底面３Ｃへ向かって湾曲し、少なくとも溝部３Ｂの内面に対向する側の面１５は滑らかな曲面となるように形成されている。また、第１部分１１と第２部分１２とが連続する部分であって第１部材１０Ａと第２部材１０Ｂとが向かい合わせになる側の面１６も滑らかな曲面となるように形成されている。
【００２１】
上記構成の支持装置１は、図５（ａ）に示すように、第１部材１０Ａおよび第２部材１０Ｂを、互いの面１６を突き合わせた状態でシート材留め条材３の開口部３Ａから溝部３Ｂ内に挿入し、同図（ｂ）および（ｃ）に示すように、互いの第１部分１１が背中合わせになるように第１部材１０Ａおよび第２部材１０Ｂを密着させる。このとき、本実施形態における支持装置１では、面１６が曲面であることにより、この曲面に沿って第１部材１０Ａと第２部材１０Ｂとを接触させることにより、シート材留め条材３の溝部３Ｂ内に滑らかに装着することが可能である。
【００２２】
これにより、第１部材１０Ａおよび第２部材１０Ｂの第２部分１２の先端部１２Ａがシート材留め条材３の溝部３Ｂ内に係止される。また、必要に応じ、図５（ｃ）に示すように、第１部材１０Ａおよび第２部材１０Ｂのそれぞれの開孔１４Ａを通じて、ボルト１７Ａおよびナット１７Ｂにより第１部材１０Ａおよび第２部材１０Ｂの第１部分１１同士を固定することも可能である。これにより、支持装置１はボルト１７Ａおよびナット１７Ｂを緩めない限り、シート材留め条材３から外れることはない。
【００２３】
こうしてビニールハウス５に装着した支持装置１の第１部分１１を利用して被支持部材７，８を固定する。図６（ａ）の例では、第１部分１１の一端に連続する第３部分１３の開孔１４Ｂを利用して、被支持部材７が鉛直方向となるように、被支持部材７の支持ブラケット７Ａを図示しないボルト・ナットにより固定する。また、同図（ｂ）に示すように、被支持部材８が斜め方向であっても、第３部分１３の開孔１４Ｂを利用して被支持部材８の支持ブラケット８Ａを斜めに固定することが可能である。さらに、同図（ｃ）に示すように、被支持部材９が水平方向であっても、第３部分１３の開孔１４Ｂを利用して被支持部材９の支持ブラケット９Ａを斜めに固定することが可能である。
【００２４】
このように、本実施形態における支持装置１によれば、ビニールハウス５を形成する複数の骨材２間に架設され、シート材４の一部が挿入されて係止されるシート材留め条材３の溝部３Ｂ内に、第１部材１０Ａおよび第２部材１０Ｂを互いに第２部分１２を外側にして第１部分１１を向かい合わせに配置すると、第１部材１０Ａおよび第２部材１０Ｂが溝部３Ｂ内に係止され、溝部３Ｂの底面３Ｃに対して直交方向Ｘかつ溝部３Ｂの長さ方向Ｙに延びる平板状の第１部分１１が被支持部材７〜９を支持する支持部として機能する。
【００２５】
これにより、ビニールハウス５を覆うシート材４を突き破ることなく、ビニールハウス５の外側に被支持部材７〜９を容易に支持することが可能となる。また、本実施形態における支持装置１では、第２部分１２の先端部１２Ａの溝部３Ｂの内面に対向する側の面１５が曲面であることにより、ビニールハウス５を形成するシート材４を傷付けてしまうことが防止されている。
【００２６】
なお、上記説明では、支持装置１の第３部分１３の開孔１４Ｂを利用して被支持部材７〜９を固定する例について説明したが、第１部分１１の開孔１４Ａを利用して固定することも可能である。あるいは、第１部分１１にさらに別の開孔や別の支持部を接続して固定することも可能である。
【００２７】
次に、本発明の支持装置の別の実施形態について説明する。図８は本発明の支持装置の別の実施形態を示す斜視図、図９は図８の第２部材の正面図、図１０は平面図、図１１は左側面図である。
【００２８】
図８に示す支持装置１Ａは、前述の第２部材１０Ｂに代えて、第１部材１０Ａとは別部材となる図９〜図１１に示す第２部材２０を使用するものである。第２部材２０は、シート材留め条材３の溝部３Ｂの底面３Ｃに対して直交方向Ｘかつ溝部３Ｂの長さ方向Ｙに延びる平板状の第１部分２１と、第１部分１０Ｃの一端に連続し、溝部３Ｂの幅方向Ｚに延びて溝部３Ｂ内に係止される第２部分２２とを有する。
【００２９】
第１部分２１は前述の第１部分１１よりも小さく、第３部分１３は接続されていない。第２部分２２は、前述の通りである。また、第１部材１０Ａと第２部材２０とを貫通するようにそれぞれ開孔１４Ｃが形成されており、前述と同様、この開孔１４Ｃを利用してボルト１７Ａおよびナット１７Ｂにより第１部材１０Ａおよび第２部材２０の第１部分１１，２１同士を固定することが可能となっている。
【００３０】
次に、支持装置１，１Ａの別の使用方法について説明する。図１２は連棟型ビニールハウスの隣接するビニールハウスの谷部の拡大正面図である。
【００３１】
図１２に示すように、農業用のビニールハウス３０には、シート材４０で覆われるビニールハウス３０Ａ，３０Ｂを並設した連棟タイプのものがある。この連棟タイプのビニールハウス３０には、並設されたビニールハウス３０Ａ、３０Ｂの谷部３１に、水が溜まらないように長手方向に沿って谷樋３２が設けられている。また、ビニールハウス内の温度や湿度を適切に調整するため、ビニールハウス３０Ａの屋根部のシート材４０の一部を図示しない巻き上げ装置により開閉可能に構成したものがある。
【００３２】
シート材４０は、ビニールハウス３０Ａの屋根部を構成するパイプ材３３間に、ビニールハウス３０Ａの長手方向に架設されたシート材留め条材３４に係止されるが、このシート材４０は風等によるばたつきを防止するため、パイプ材３３上へハウスバンド４１で押圧されている。そのため、巻き上げ装置によってシート材４０を開閉する際、ハウスバンド４１の押圧力によって巻き上げが阻害されることになる。
【００３３】
そこで、支持装置１，１Ａをシート材留め条材３４に取り付け、支持ブラケット３５を用いて被支持部材としてのパイプ３６をシート材留め条材３４の長手方向に沿って固定し、パイプ材３３とハウスバンド４１との間に所定幅の隙間Ｄを形成する。これにより、ハウスバンド４１の押圧力がシート材４０の開閉部分に伝わらないようにし、巻き上げ装置によるシート材４０の開閉が阻害されることがないようにすることができる。
【産業上の利用可能性】
【００３４】
本発明の支持装置は、ビニールハウスの外側に被支持部材を支持する装置として有用であり、特に、ビニールハウスを覆うシート材を突き破ることなく、ビニールハウスの外側に被支持部材を容易に支持することが可能な支持装置として好適である。
【符号の説明】
【００３５】
１，１Ａ  支持装置
２  骨材
３，３４  シート材留め条材
４，４０  シート材
５，３０，３０Ａ，３０Ｂ  ビニールハウス
６  係止部材
７〜９  被支持部材
１０Ａ  第１部材
１０Ｂ，２０  第２部材
１１，２１  第１部分
１２，２２  第２部分
１３  第３部分
１４Ａ，１４Ｂ、１４Ｃ  開孔
３２  谷樋
３３  パイプ材
４１  ハウスバンド
【図１】
2017216948.tif 000003
【図２】
2017216948.tif 000004
【図３】
2017216948.tif 000005
【図４】
2017216948.tif 000006
【図５】
2017216948.tif 000007
【図６】
2017216948.tif 000008
【図７】
2017216948.tif 000009
【図８】
2017216948.tif 000010
【図９】
2017216948.tif 000011
【図１０】
2017216948.tif 000012
【図１１】
2017216948.tif 000013
【図１２】
2017216948.tif 000014